(57)【特許請求の範囲】
【請求項１】
垂直な支柱パイプの上方に鍋のような炊事器具の底面に上面が接する金属の集熱体をバネにて付勢して上下動自在に設け、集熱体にサーミスター素子を取り付けると共にサーミスター素子に接続したリード線を支柱パイプに挿通し、リード線を内部に挿通したパイプ部材の上端を集熱体に一体に装着し、パイプ部材の下部を上記支柱パイプの上部に上下動自在に挿通し、支柱パイプの上部に非円形の挿通孔を設けると共にパイプ部材に設けた断面非円形の摺動ガイド筒部を挿通孔に上下に摺動自在に挿通して支柱パイプに対してパイプ部材を回転不能にして成ることを特徴とする炊事用温度検知装置。
【請求項２】
パイプ部材をカシメ用パイプとし、カシメ用パイプに挿通したリード線をカシメ用パイプの途中を絞るようにカシメることで固定して成ることを特徴とする請求項１記載の炊事用温度検知装置。
【請求項３】
円管状のカシメ用パイプをカシメることで断面非円形の摺動ガイド筒部を形成して成ることを特徴とする請求項２記載の炊事用温度検知装置。
【請求項４】
挿通孔を略長円状にすると共に摺動ガイド筒部の断面形状を略長円状にして成ることを特徴とする請求項１乃至請求項３のいずれかに記載の炊事用温度検知装置。
【請求項５】
リード線やパイプ部材やバネの外周を覆う防熱用のスリーブの上端を集熱体に取着し、スリーブの下部を支柱パイプの上部に上下に摺動自在に被嵌して成ることを特徴とする請求項１乃至請求項４のいずれかに記載の炊事用温度検知装置。
【発明の詳細な説明】
【０００１】
【発明の属する技術分野】
本発明は、ガスコンロのような加熱調理器具においてガスバーナのような加熱部に載置した鍋のような炊事器具の底面の温度を検出して炊事器具が異常に加熱されたときガスの供給を遮断したり加熱を停止して安全性を確保するのに用いる炊事用温度検知装置に関するものである。
【０００２】
【従来の技術】
この種の炊事用温度検知装置としては特開平５−１２３２４８号公報や特開平５−１２３２４９号公報に開示されるものがある。これは図１１に示すように帽体状の集熱板ａの外周に防熱筒となるスリーブｂの上端を固定してあり、垂直に立設した支柱パイプｃの上部にスリーブｂの下部を上下に摺動自在に装着してあり、スリーブｂ内で支柱パイプｃの上端と集熱板ａの下面との間に集熱板ａを上方に付勢するバネｄを介装してある。集熱板ａの下面には固定金具ｅを取り付けてあり、固定金具ｅに設けた収納部にサーミスター素子を収納して接着剤で固定してあり、サーミスター素子に接続したリード線ｈをスリーブｂ内及び支柱パイプｃ内に挿通してある。そしてガスバーナのような加熱部に鍋のような炊事器具を載せて炊事をしているとき、集熱板ａが鍋のような炊事器具の底面に弾性的に接触し、鍋のような炊事器具の熱が集熱板ａを介してサーミスター素子に伝わり、サーミスター素子で鍋のような炊事器具の温度が検知されるようになっている。
【０００３】
【発明が解決しようとする課題】
ところが、上記従来例にあっては、支柱パイプｃに対して集熱板ａと一緒にスリーブｂが周方向に回転し得る構造になっているため、集熱板ａとスリーブｂとが一緒に回転するとリード線ｈがねじれて断線したりすることが生じるという問題があった。またリード線ｈの張力止めの方策が施されていないためにリード線ｈに張力がかかるとサーミスター素子とリード線ｈとの接続部に力がかかって接続が外れるおそれがあるという問題があった。
【０００４】
本発明は叙述の点に鑑みてなされたものであって、集熱体の回り止めをしてリード線がねじれるのを防止でき、しかもリード線とサーミスター素子との接続部に張力がかかるのを防止できて接続部の接続が外れるのを防止できる炊事用温度検知装置を提供するにある。
【０００５】
【課題を解決するための手段】
上記課題を解決するために本発明の請求項１の炊事用温度検知装置では、垂直な支柱パイプ９の上方に鍋のような炊事器具の底面に上面が接する金属の集熱体１をバネ２にて付勢して上下動自在に設け、集熱体１にサーミスター素子４を取り付けると共にサーミスター素子４に接続したリード線５を支柱パイプ９に挿通し、リード線５を内部に挿通したパイプ部材６の上端を集熱体１に一体に装着し、パイプ部材６の下部を上記支柱パイプ９の上部に上下動自在に挿通し、支柱パイプ９の上部に非円形の挿通孔１９を設けると共にパイプ部材６に設けた断面非円形の摺動ガイド筒部３０を挿通孔１９に上下に摺動自在に挿通して支柱パイプ９に対してパイプ部材６を回転不能にして成ることを特徴とする。上端を集熱体１に装着したパイプ部材６の下部を支柱パイプ９の上部に上下動自在に挿通し、支柱パイプ９の上部に挿通孔１９を設けると共にパイプ部材６に設けた摺動ガイド筒部３０を挿通孔１９に上下に摺動自在に挿通していることにより、挿通孔１９への摺動ガイド筒部３０の摺動にて集熱体１の上下動をガイドでき、集熱体１の上下動がスムーズにできる。しかも非円形の挿通孔１９に断面非円形の摺動ガイド筒部３０を挿通して回転不能にしているので集熱体１が支柱パイプ９に対して周方向に回転することがなく、リード線５がねじれて断線するおそれがない。また上端を集熱体１に装着したパイプ部材６にリード線５を挿通した状態でパイプ部材６にリード線５を固定すると、リード線５に張力が加わってもリード線５とサーミスター素子４の接続部に力が加わることがなく、リード線５とサーミスター素子４との接続が外れるおそれがない。
【０００６】
また本発明の請求項２の炊事用温度検知装置は、請求項１において、パイプ部材６をカシメ用パイプ６ａとし、カシメ用パイプ６ａに挿通したリード線５をカシメ用パイプ６ａの途中を絞るようにカシメることで固定して成ることを特徴とする。カシメ用パイプ６ａの途中をカシメてカシメ用パイプ６ａにリード線５を固定したことにより、リード線５をカシメ用パイプ６ａに固定できてリード線５に張力が加わってもリード線５とサーミスター素子４の接続部に力が加わることがなく、リード線５とサーミスター素子４との接続が外れるおそれがない。しかもカシメ用パイプ６ａをカシメるだけでリード線５を簡単に固定できる。
【０００７】
また本発明の請求項３の炊事用温度検知装置は、請求項２において、円管状のカシメ用パイプ６ａをカシメることで断面非円形の摺動ガイド筒部３０を形成して成ることを特徴とする。集熱体１の回り止めするための摺動ガイド筒部３０を容易に形成できる。
また本発明の請求項４の炊事用温度検知装置は、請求項１乃至請求項３のいずれかにおいて、挿通孔１９を略長円状にすると共に摺動ガイド筒部３０の断面形状を略長円状にして成ることを特徴とする。摺動ガイド筒部３０の摺動孔１９に対する摺動を阻害することなく回り止めできると共に簡単な構造で回り止めを実現できる。
【０００８】
また本発明の請求項５の炊事用温度検知装置は、請求項１乃至請求項４のいずれかにおいて、リード線５やパイプ部材６やバネ２の外周を覆う防熱用のスリーブ８の上端を集熱体１に取着し、スリーブ８の下部を支柱パイプ９の上部に上下に摺動自在に被嵌して成ることを特徴とする。外周をスリーブ８にて覆ってサーミスター素子４やリード線５やバネ２等を保護できる。またスリーブ８が支柱パイプ９に対して摺動自在な部分で集熱体１の上下動をガイドでき、挿通孔１９に対して摺動ガイド筒部３０が摺動する部分で集熱体１の上下動をガイドするという作用と相俟って集熱体１をスムーズに上下動させることができる。
【０００９】
【発明の実施の形態】
本発明の炊事用温度検知装置は、図１乃至図３に示すように集熱体１、バネ２、サーミスター素子４、リード線５、パイプ部材６としてのカシメ用パイプ６ａ、スリーブ８、支柱パイプ９等で形成されている。本実施の形態の場合、炊事用温度検知装置をガスコンロに設置する例により説明する。
【００１０】
支柱パイプ９は金属にて円管状に形成されており、ガスコンロのガスバーナーの下方でコンロ本体に固定した下皿１０に垂直に立設されている。この支柱パイプ９は例えばガスバーナーの中央に貫通するように立設するものである。支柱パイプ９の下端は下皿１０の取り付け孔１１に挿通され、支柱パイプ９の下端をカシメることで下皿１０に固定される。本例の場合、カシメにより形成した上鍔部１２ａと下鍔部１２ｂとで取り付け孔１１縁を挟持するように下皿１０に支柱パイプ９が取り付けられている。支柱パイプ９の上端部には他の部分より径を大きくした円筒状の大径筒部１３を設けてあり、この大径筒部１３内には図９に示すように円形容器状のガイドリング１４を圧入して支柱パイプ９に対して回転しないように固定してある。このガイドリング１４の上端の外周に突出するフランジ１５は大径筒部１３の上端に載置してあり、フランジ１５の外周を大径筒部１３の外面より外方に突出させてある。ガイドリング１４の下底には長円状の挿通孔１９を上下に貫通するように穿孔してある。
【００１１】
スリーブ８は金属にて図８に示すように上記支柱パイプ９よりやや径の大きい円管状に形成されており、このスリーブ８は防熱筒の作用をするものである。スリーブ８の下部は上部に比べてやや径の大きな大径筒部３１を設けてあり、この大径筒部３１内に円筒状のカラー１６を内装してあり、カラー１６を固定リング１７にて大径筒部３１に固定してある。カラー１６の上端は大径筒部３１の上端の段部３１ａに係当してあり、図１０に示すような円環状の固定リング１７を大径筒部３１内に挿入して固定リング１７をカラー１６の下端に当接すると共に固定リング１７の外周を大径筒部３１にカシメることでカラー１６を固定してある。このスリーブ８は支柱パイプ９の外に上下に摺動自在に取り付けられるが、実際の組み立てでは、上記ガイドリング１４を取り付ける前にスリーブ８が支柱パイプ９に上下に摺動自在に挿通され、スリーブ８を挿通した後に上記のようにガイドリング１４が固定される。上記カラー１６の内径は支柱パイプ９の大径筒部３１の外径と略同じ径に形成してあり、カラー１６が大径筒部３１の外面に沿って摺動してスリーブ８の上下動がガイドされるようになっている。また固定リング１７の内径は支柱パイプ９の外径と略同じ径にしてあり、固定リング１７が支柱パイプ９の外面に沿って摺動してスリーブ８の上下動がガイドされるようになっている。この固定リング１７の内周には図１０に示すように複数個の突起１８を周方向に突設してあり、突起１８の先端が支柱パイプ９の外面に接触して上下に摺動するようにしてある。このようにすることで固定リング１７と支柱パイプ９の接触面積を小さくして固定リング１７が摺接抵抗少なくスムーズに上下に摺動するようになっている。またスリーブ８は上記のように上下に摺動自在に取り付けられるが、スリーブ８が最上部まで摺動したとき、カラー１６の上端がフランジ１５に当たってそれ以上摺動しないように抜け止めしている。スリーブ８の上端にはカシメ受部２０を全周に亙るように設けてある。
【００１２】
集熱体１は銅、銅合金等の熱伝導性のよい金属にて図６に示すように肉厚の厚い円盤状に形成されており、集熱体１の外周には薄肉のカシメ用筒部２１を下方に突出するように突設してある。集熱体１の下面の中央には円柱状の突部２２を下方に突出するように設けてあり、この突部２２の下面から上方に向けて収納凹所３を凹設してある。この収納凹所３は円形の凹所であり、上底が球面状の凹曲面３ａとなっている。突部２２の下端の外周から下方に突出するようにカシメ用筒部２３を突設してあり、カシメ用筒部２３の内周側に位置決め段部２４を設けてある。
【００１３】
サーミスター素子４は上部の外面が上記凹曲面３ａに沿う凸曲面４ａとなった略円柱状に形成されている。このサーミスター素子４の下面から図５に示すように一対の端子線４ｂを突設してある。リード線５は導体線５ａを四弗化エチレン樹脂（ＰＴＦＥ）のような樹脂の絶縁層５ｂにて被覆して形成されており、一対のリード線５の被覆を剥いた導体線５ａの端部をサーミスター素子４の端子線４ｂに重ねると共に端子線４ｂと導体線５ａの端部とを溶接にて接続してある。そしてこの接続部の近傍をポリイミド樹脂等の絶縁材の絶縁チューブ２５にて被覆して絶縁してある。
【００１４】
パイプ部材６としてのカシメ用パイプ６ａは金属にて図７に示すような円筒状に形成してあり、上端に外周に突出するフランジ状のカシメ受部２７を全周に亙るように設けてあり、カシメ受部２７より下方に所定距離離れた位置は外周に突出するフランジ状の鍔部２８を全周に突出するように設けてある。
そして集熱体１にサーミスター素子４が次のように取り付けられる。集熱体１の収納凹所３には凹曲面３ａにサーミスター素子４の凸曲面４ａが沿うようにサーミスター素子４が収められ、この状態でリード線５を内部に挿通したカシメ用パイプ６ａの上端のカシメ受部２７が位置決め段部２４にはめ込まれ、集熱体１のカシメ用筒部２３の外周から絞るようにカシメることで集熱体１にカシメ用パイプ６ａが取り付けられる。このようにカシメ用筒部２３を絞るように取り付けたとき収納凹所３の下面の開口もある程度径が小さくなるように変形し、収納凹所３からサーミスター素子４が脱落しないようにサーミスター素子４が収納凹所３に保持されると共にサーミスター素子４の外面が収納凹所３の内面に確実に接触させられる。またカシメ用筒部２３をカシメるときと同時またはその後にカシメ用パイプ６ａの上端と鍔部２８との間が絞るようにカシメられてカシメ用パイプ６ａにリード線５が固定される。２９はカシメ固定部である。このようにカシメ固定部２９でリード線５を固定することでリード線５とサーミスター素子４との接続部に外力がかかっても接続が外れないように固定できる。このカシメ固定部２９でリード線５を固定するとき、カシメ用パイプ６ａの鍔部２８より下方の部分が絞られて、図４に示すように断面長円状の摺動ガイド筒部３０が形成される。
【００１５】
このようにサーミスター素子４を取り付けた集熱体１はスリーブ８の上方に配置され、スリーブ８内や支柱パイプ９内にカシメ用パイプ６ａと一緒にリード線５が挿通される。このときカシメ用パイプ６ａの断面長円状の摺動ガイド筒部３０がガイドリング１４の長円状の挿通孔１６に挿通される。またスリーブ８の内周に沿うようにコイル状のバネ２がガイドリング１４のフランジ１５と集熱体１の下面との間に介装され、集熱体１のカシメ用筒部２１がスリーブ８の上端のカシメ受部２０の外周に被嵌され、カシメ用筒部２１を絞るようにカシメることで集熱体１がスリーブ８の上端に固定される。上記のように集熱体１がスリーブ８に取り付けられ、通常はバネ２にて集熱体１が上方に突出するように付勢されている。このときカラー１６の上端がフランジ１５に当たってそれ以上に上に摺動しないように止められている。集熱体１を下方に押すと、バネ２に抗して集熱体１と一緒にスリーブ８やカシメ用パイプ６ａが下方に移動するようになっている。集熱体１やスリーブ８が上下に摺動するとき、カラー１６や固定リング１７が支柱パイプ９に対して摺動することと、カシメ用パイプ６ａの摺動ガイド筒部３０がガイドリング１４の挿通孔１６に対して摺動することでガイドされ、安定よく摺動するようになる。集熱体１が下降するとき、所定位置まで下降すると、カシメ用パイプ６ａの鍔部２８が挿通孔１６の縁部に当たってそれ以上下降しなくなる。図１のＬが集熱体１の上下に移動し得る距離である。また集熱体１が上下に移動するとき、カシメ用パイプ６ａの長円状の摺動ガイド筒部３０が長円状の挿通孔１６に対して摺動するため、集熱体１やカシメ用パイプ６ａが周方向に回転するのが阻止され、リード線５がねじれるのが防止される。
【００１６】
上記のように炊事用温度検知装置はガスコンロに設置され、ガスバーナの上に置いた鍋のような炊事器具の底面の温度を検出するのに用いられる。ガスバーナの上に鍋のような炊事器具を置くと、炊事器具の底面に集熱体１が弾性的に当接される。このとき炊事器具の底面の高さが変わっても集熱体１がバネ２に抗して上下することで対応できる。そしてガスバーナで炊事器具を加熱して炊事をしているとき、炊事器具の底面の温度がサーミスター素子４で検出される。このとき集熱体１に上記のようにサーミスター素子４が取り付けられているために集熱体１を介して炊事器具の熱がサーミスター素子４にスムーズに伝達され、炊事器具の底部の温度が精度よく迅速に検出できる。そして油調理等の炊事をしているとき、サーミスター素子４にて炊事器具の底部の温度が所定以上になったことを検出した場合、ガスの供給を遮断するようになっている。
【００１７】
なお、本発明の実施の形態の例では、挿通孔１６と長円状にし、摺動ガイド筒部３０を断面長円状して集熱体１の回り止めをしているが、挿通孔１６の形状や摺動ガイド筒部３０の断面形状を三角状や四角状やそれ以上の多角状にしても同様に回り止めができる。つまり、挿通孔１６の形状や摺動ガイド筒部３０の断面形状は円形以外の形状で回り止めできる形状ならどのような形状でもよい。
【００１８】
【発明の効果】
本発明の請求項１の発明は、叙述の如く上端を集熱体に装着したパイプ部材の下部を支柱パイプの上部に上下動自在に挿通し、支柱パイプの上部に挿通孔を設けると共にパイプ部材に設けた摺動ガイド筒部を挿通孔に上下に摺動自在に挿通しているので、挿通孔への摺動ガイド筒部の摺動にて集熱体の上下動をガイドできて集熱体の上下動がスムーズにできるものであり、しかも非円形の挿通孔に断面非円形の摺動ガイド筒部を挿通して回転不能にしているので、集熱体が支柱パイプに対して周方向に回転することがなく、リード線がねじれて断線するおそれがないものであり、また上端を集熱体に装着したパイプ部材にリード線を挿通しているので、パイプ部材にリード線を固定すると、リード線に張力が加わってもリード線とサーミスター素子の接続部に力が加わることがなく、リード線とサーミスター素子との接続が外れるおそれがないものである。
【００１９】
また本発明の請求項２の発明は、請求項１において、パイプ部材をカシメ用パイプとし、カシメ用パイプに挿通したリード線をカシメ用パイプの途中を絞るようにカシメることで固定したので、リード線をカシメ用パイプに固定できてリード線に張力が加わってもリード線とサーミスター素子の接続部に力が加わることがなく、リード線とサーミスター素子との接続が外れるおそれがないものであり、しかもカシメ用パイプをカシメるだけでリード線を簡単に固定できるものである。
【００２０】
また本発明の請求項３の発明は、請求項２において、円管状のカシメ用パイプをカシメることで断面非円形の摺動ガイド筒部を形成しているので、集熱体の回り止めするための摺動ガイド筒部を容易に形成できるものである。
また本発明の請求項４の発明は、請求項１乃至請求項３のいずれかにおいて、挿通孔を略長円状にすると共に摺動ガイド筒部の断面形状を略長円状にしているので、摺動ガイド筒部の摺動孔に対する摺動を阻害することなく回り止めできると共に簡単な構造で回り止めを実現できるものである。
【００２１】
また本発明の請求項５の発明は、請求項１乃至請求項４のいずれかにおいて、リード線やパイプ部材やバネの外周を覆う防熱用のスリーブの上端を集熱体に取着し、スリーブの下部を支柱パイプの上部に上下に摺動自在に被嵌したので、外周をスリーブにて覆ってサーミスター素子やリード線やバネ等を保護できるものであり、またスリーブが支柱パイプに対して摺動自在な部分で集熱体の上下動をガイドでき、挿通孔に対して摺動ガイド筒部が摺動する部分で集熱体の上下動をガイドするという作用と相俟って集熱体をスムーズに上下動させることができるものである。
【図面の簡単な説明】
【図１】本発明の炊事用温度検知装置の一例の全体を示し、（ａ）は正面断面図、（ｂ）は（ａ）のＡ−Ａ線断面図である。
【図２】同上の分解断面図である。
【図３】同上のスリーブと支柱パイプとの組み立て状態を示す正面断面図である。
【図４】同上のサーミスター素子、カシメ用パイプ、リード線の組み立て状態を示し、（ａ）は正面断面図、（ｂ）は（ａ）のＢ−Ｂ線断面図である。
【図５】同上のサーミスター素子とリード線の接続状態を説明する正面断面図である。
【図６】同上の集熱体の正面断面図である。
【図７】同上のカシメ用パイプを示す正面断面図である。
【図８】同上のスリーブを示す正面断面図である。
【図９】同上のガイドリングを示し、（ａ）は正面断面図、（ｂ）は平面図である。
【図１０】同上の固定リングの平面図である。
【図１１】従来例を示す正面断面図である。
【符号の説明】
１  集熱体
２  バネ
４  サーミスター素子
５  リード線
６  パイプ部材
６ａ  カシメ用パイプ
８  スリーブ
９  支柱パイプ
１９  挿通孔
３０  摺動ガイド筒部
【図１】
0003927291.tif 000002
【図２】
0003927291.tif 000003
【図３】
0003927291.tif 000004
【図４】
0003927291.tif 000005
【図５】
0003927291.tif 000006
【図６】
0003927291.tif 000007
【図７】
0003927291.tif 000008
【図８】
0003927291.tif 000009
【図９】
0003927291.tif 000010
【図１０】
0003927291.tif 000011
【図１１】
0003927291.tif 000012